(57)【特許請求の範囲】
【請求項１】
装置本体とは別途の場所に設置され、内部に複数個の抵抗を有し、これら複数の抵抗を直列に接続すると共に、各抵抗に並列に接続した操作スイッチを設け、操作スイッチのオンオフ状態によって変化する分圧された直流の電圧値を装置本体内のマイコンに入力させるリモコンを備えた装置において、上記マイコンのリセット直後から所定時間が経過するまでの間における、操作スイッチのいずれもがオンされていない状態で検知される上記直流の電圧値から、装置本体に接続されているリモコンの固有のバラツキを検知して、操作スイッチのオンオフ状態を判断する基準電圧を補正することを特徴とする、リモコンを備えた装置。
【請求項２】
リモコン内の負荷および装置本体内の負荷が稼働することによる上記直流の電圧値の変化を検知して、操作スイッチのオンオフ状態を判断する基準電圧を補正することを特徴とする請求項１に記載の、リモコンを備えた装置。
【請求項３】
上記基準電圧を補正する際の補正値を装置本体側にあらかじめ記憶させておくことを特徴とする請求項１または請求項２に記載の、リモコンを備えた装置。
【発明の詳細な説明】
【技術分野】
【０００１】
本発明は、装置本体とこの装置本体に接続されたリモコンとからなる、リモコンを備えた装置に関する。
【背景技術】
【０００２】
例えば装置としてガス給湯装置を例にすると、ガス給湯装置では排気ガスの排出を容易にし、また燃焼音が使用者にとって騒音とならないように屋外に設置されている場合が多い。そのため、給湯装置本体の作動を制御する操作は給湯装置本体に対して行うのではなく、給湯装置本体に接続されているリモコンに対して行われる。
【０００３】
リモコンには各種の操作を行うための操作スイッチが設けられており、リモコンを台所の壁面等の室内に設置しておき、リモコンの操作スイッチを押し操作することにより給湯装置本体の作動を制御するように構成されている。リモコン内にマイコンを内蔵させ、操作スイッチがオンされると、そのオンされた操作スイッチに対応する制御内容をデジタル信号に変換して給湯装置本体に送信するタイプのリモコンも存在するが、操作内容をデジタル信号に変換するものではリモコン内のマイコンの入力ポートが多くなるなどの理由でリモコンの単価が高くなるという不具合がある。
【０００４】
そこで、リモコン内に複数の抵抗を直列に接続し、これら抵抗を分圧抵抗としたものがある。そして、各操作スイッチを各分圧抵抗に並列に接続しておけば、操作スイッチがオンされると、そのオンされた操作スイッチが接続されている分圧抵抗が短絡されるため、分圧された電圧値が変化する。アナログ信号であるその電圧値を給湯装置本体内のマイコンに入力させれば、変化した電圧値から器具本体のマイコン側でどの操作スイッチが押し操作されたかかを判断して、そのマイコンが給湯装置本体の制御を行うことができる。このように、分圧抵抗に操作スイッチを並列に接続して分圧された電圧値からどの操作スイッチがオンされたかを判断するものが知られている（例えば、特許文献１参照）。
【０００５】
なお、このようなリモコンは給湯装置の制御をするものに限定されず、例えば浴室内の天井に設置された照明装置を装置本体として、この照明装置の照度やオンオフ状態を制御するために浴室内の壁面に設置されたリモコンを備えたものにも適用される。
【先行技術文献】
【特許文献】
【０００６】
【特許文献１】特開平６−５１８９３号公報（図１）
【発明の概要】
【発明が解決しようとする課題】
【０００７】
上記従来のものでは、直列に接続された分圧抵抗の両端に印加する電圧は正確な値で一定に保持されることが望ましい。そのため、レギュレータを介して一定の電圧を印加することが望まれるが、レギュレータの固体毎のバラツキがあるため、同じ規格のギュレータを使用してもリモコンの固体ごとにレギュレータの出力電圧が一定しないという不具合がある。このように、分圧される電圧値の基となる電圧がばらついたのでは、どの操作スイッチが押し操作されたかという判断を誤判断する可能性が生じる。
【０００８】
また、装置として給湯装置の場合には、給湯装置本体にはモータなどの負荷が内蔵され、リモコンにはブザー等の負荷が内蔵されており、これら負荷が作動すると、レギュレータへの供給電圧が変化し、その結果、レギュレータの出力電圧が変化したり、マイコンへの供給電圧が変化することが考えられる。このように電圧が変化すると、上述のようにどの操作スイッチが押し操作されたかという判断を誤判断する可能性が生じる。
【０００９】
そこで本発明は、上記の問題点に鑑み、リモコンの操作スイッチのうちのどの操作スイッチが押し操作されたかという判断を誤ることのない、リモコンを備えた装置を提供することを課題とする。
【課題を解決するための手段】
【００１０】
上記課題を解決するために本発明によるリモコンを備えた装置は、装置本体とは別途の場所に設置され、内部に複数個の抵抗を有し、これら複数の抵抗を直列に接続すると共に、各抵抗に並列に接続した操作スイッチを設け、操作スイッチのオンオフ状態によって変化する分圧された直流の電圧値を装置本体内のマイコンに入力させるリモコンを備えた装置において、上記マイコンのリセット直後から所定時間が経過するまでの間における、操作スイッチのいずれもがオンされていない状態で検知される上記直流の電圧値から、装置本体に接続されているリモコンの固有のバラツキを検知して、操作スイッチのオンオフ状態を判断する基準電圧を補正することを特徴とする。
【００１１】
リモコン内の負荷および装置本体内の負荷が稼働することによる上記直流の電圧値の変化を検知して、操作スイッチのオンオフ状態を判断する基準電圧を補正することにって負荷の稼働に伴う電圧変化の影響を排除する。
【００１２】
また、上記基準電圧を補正する際の補正値を装置本体側にあらかじめ記憶させておいてもよい。
【発明の効果】
【００１３】
以上の説明から明らかなように、本発明は、いずれの操作スイッチもオン状態になっていない状態で分圧された電圧値を読み込み、基準電圧と比較することによってレギュレータのバラツキなど、リモコンの固体毎のバラツキを補正することができる。
【図面の簡単な説明】
【００１４】
【図１】本発明の一実施の形態の構成を示す図
【図２】給湯装置本体およびリモコンの内部構造を示すブロック図
【発明を実施するための形態】
【００１５】
図１を参照して、装置として給湯装置を例に本発明の実施の形態を以下に説明する。１は給湯装置本体であり、屋外に設置されている。２はこの給湯装置本体１の作動を制御するためのリモコンであり、給湯装置１とリモコン２とは３本のケーブルで連結されている。これら３本のケーブルは、給湯装置本体１からリモコン２への電源供給のための電力ライン３１，３２と、制御信号（分圧された電圧値）をリモコン２から給湯装置本体１へ送信する通信線３３とから構成されている。
【００１６】
リモコン２には操作スイッチ２１，２２，２３が設けられており、図２に示すように、分圧抵抗のうち、３個の分圧抵抗４１，４２，４３の各々に対して並列に接続されている。電力ライン３１はプラス側であり、給湯装置本体１内の１２ボルトレギュレータ５３からの出力電圧がリモコン２内の５ボルトレギュレータ４に入力される。なお、各分圧抵抗４１，４２，４３は各々違う抵抗値である。
【００１７】
この５ボルトレギュレータ４の出力電圧が上記分圧抵抗４１，４２，４３に印加される。そして、中間点Ａの電圧（中間電位）が上述のように通信線３３を介して、給湯装置１内のマイコン５に入力される。操作スイッチ２１，２２，２３のいずれかが押し操作されオンの状態になると、そのオン状態になった操作スイッチに並列接続されている分圧抵抗が短絡するので、分圧抵抗全体の抵抗値が変化する。そのため、Ａ点の電圧値が変化する。その変化した電圧値からマイコン５はその操作スイッチが押し操作されたかを判断することができる。なお、５１は給湯装置本体１内に設置されたモータ等の負荷であり、５２は５ボルトレギュレータである。
【００１８】
リモコン２に組み込まれた５ボルトレギュレータ４は固体毎に若干出力電圧がばらつく場合がある。そこで、マイコン５がリセットによりスタートすると、そのスタートの時点から所定の時間として１秒程度を設定し、その設定時間内であればいずれの操作スイッチ２１，２２，２３も押し操作されていないものとして、その時点でのＡ点の電圧をマイコン５が取り込む。５ボルトレギュレータ４の出力電圧が設定値通りであれば、マイコン５内にあらかじめ記憶させている基準電圧と、取り込まれたＡ点の電圧とが一致する。仮に一致しない場合には、５ボルトレギュレータ４の出力電圧がずれているものと判断して、各操作スイッチ２１，２２，２３が押し操作されたと判断するための基準電圧を各々シフトして補正する。
【００１９】
また、その状態で運転が継続した場合、負荷２４，５１が作動したときの電圧降下分をマイコン５が検知し、各負荷２４，５１が稼働している状態でどの程度基準電圧をシフトさせるかを判断するようにした。
【００２０】
上記のように、あらかじめマイコン５に一律の値として格納させた基準電圧を、実際に接続されたリモコン２の固体毎のバラツキや、実際に接続されている負荷２４，５１の稼働に伴う補正を行うことによって、どの操作スイッチ２１，２２，２３が押し操作されたかという判断を、誤判断することなく的確に行うことができる。
【００２１】
また、上記実施の形態では、基準となる電圧からのずれをその都度実測して補正しているが、補正量をあらかじめマイコン側に記憶させておき、負荷の稼働状況に応じてあらかじめ設定した補正を行うようにしてもよい。
【００２２】
なお、本発明は上記した形態に限定されるものではなく、本発明の要旨を逸脱しない範囲内において種々の変更を加えてもかまわない。例えば、装置として給湯装置に限定されるものではなく、例えば浴室の天井に設置される照明装置を装置としてもよく、その他、本発明が適用できるなら特にいずれの装置であるかに限定するものではない。
【符号の説明】
【００２３】
１  給湯装置本体
２  リモコン
２１，２２，２３  操作スイッチ
５  マイコン
【図１】
0005679851.tif 000002
【図２】
0005679851.tif 000003